(57)【特許請求の範囲】
【請求項１】
回転調整される光学素子を含む回転側と、前記光学素子が取り付けられる非回転側と、を備える光学素子の調整構造であって、
前記回転側には、板金を折り曲げ形成して得られるとともに前記光学素子を保持する光学素子ホルダが備えられ、
前記光学素子ホルダは、
先端部と、前記先端部と反対側の端部に設けられて調整治具が接触される接触部と、前記光学素子を搭載する搭載面と、を含む第１の部分と、
前記第１の部分に対して折り返されて前記第１の部分に接触状態で重ねられることにより、前記光学素子を位置決めするための位置決め壁を形成する第２の部分と、
前記第２の部分に対して折り返されることにより、バネ部を形成する第３の部分と、
を有し、
前記非回転側には、前記先端部と係合する係合部が含まれ、
前記先端部を前記係合部に係合させるとともに前記接触部に調整治具を接触させ、前記調整治具を動かすことによって前記先端部を支点として前記回転側を回転させて、前記光学素子の回転調整を行う、光学素子の調整構造。
【請求項２】
前記先端部は略Ｖ字状の凸部であり、前記係合部は略Ｖ字状の凹部である、請求項１に記載の光学素子の調整構造。
【請求項３】
前記非回転側には、前記光学素子の光軸方向に対向する２つの壁部が含まれ、
前記バネ部によって前記光学素子ホルダが前記２つの壁部に押し付けられた状態で、前記光学素子の回転調整が行われる、請求項１又は２に記載の光学素子の調整構造。
【請求項４】
請求項１から３のいずれかに記載の光学素子の調整構造を備える光ピックアップ。
【請求項５】
前記光学素子が回折格子である、請求項４に記載の光ピックアップ。
【発明の詳細な説明】
【技術分野】
【０００１】
本発明は、例えば回折格子（グレーティング）等の光学素子の回転調整を行うために使用される、光学素子の調整構造に関する。また、本発明は、そのような光学素子の調整構造を備える光ピックアップに関する。
【背景技術】
【０００２】
従来、光ピックアップの光学系には、光源から出射された光を分割して光ディスク上に複数の光スポットが形成されるように、回折格子（回折素子）が配置されることがある（例えば、特許文献１及び２参照）。この回折格子の存在により、例えば３ビーム法やＤＰＰ（Differential Push-Pull）法等を用いてトラッキングエラー信号を生成することが可能になる。
【０００３】
この回折格子は、上記複数の光スポットの位置が狙いの位置となるように回転調整が行われた上で、光ピックアップのベース（光学台）に対して固定されるのが一般的である。回折格子は樹脂で形成される場合もあれば、ガラスで形成される場合もある。なお、最近ではブルーレイディスク（以下、ＢＤと記載する）のような高容量の情報を記録できる光ディスクが実用化されているが、このＢＤ対応の光ピックアップに備えられる回折格子は、現状、樹脂ではなくガラスで形成されることが多い。
【０００４】
回折格子がガラスで形成される場合には、回折格子をホルダ（光学素子ホルダ）で保持して光ピックアップのベースに取り付けるのが一般的であり、ホルダを回転しながら回折格子の回転調整が行われる。なお、回折格子が樹脂で形成される場合には、回折格子をホルダで保持することもあるが、回折格子としての機能とホルダとしての機能とを併せ持つ１つの部材を光ピックアップのベースに取り付けることもある。
【０００５】
ここで、回折格子をホルダで保持して光ピックアップのベースに取り付ける場合の従来の構成例について説明する。図１０は、従来の光ピックアップにおいて、回折格子をベースに取り付ける前の状態を示す概略斜視図である。図１１は、従来の光ピックアップにおいて、回折格子をベースに取り付けた状態を示す概略斜視図である。
【０００６】
図１０に示すように、従来の光ピックアップにおいては、回折格子１０１を保持するホルダとして、略円柱状の樹脂製ホルダ１０２が用いられる。回折格子１０１は、このホルダ１０２の略中央部に接着剤等を用いて固着される。回折格子１０１を保持したホルダ１０２は、光ピックアップのベース１０３に設けられる略円筒状の収容空間１０３ａに収容される。
【０００７】
収容空間１０３ａに収容されたホルダ１０２は、図１１に示すように、ホルダ１０２の背後に配置されるスプリング１０４によって、ベース１０３の当て面１０３ｂ（図１０参照）に押し付けられる。すなわち、ホルダ１０２は、スプリング１０４の作用によって、収容空間１０３ａに収容された状態で保持される。ただし、上述のように回折格子１０１は回転調整が必要となる。このために、スプリング１０４は、当て面１０３ｂに押し付けられたホルダ１０２の回転調整が行えるように、その付勢力が調整されている。
【０００８】
図１０に示すように、ホルダ１０２には調整治具を差し込む調整溝１０２ａが形成されている。また、図１０及び図１１に示すように、光ピックアップのベース１０３には調整治具を差し込むための切り欠き１０３ｃが形成されている。このため、収容空間１０３ａに収容されてスプリング１０４によって当て面１０３ｂに押し付けられたホルダ１０２は、調整治具を用いて回転調整を行える。ホルダ１０２は、調整治具を用いた回転調整が行われた後に、ベース１０３に対して動かないように接着剤等を用いて固定される。この接着剤等によるホルダ１０２の固定によって、回折格子１０１のベース１０３への取り付けが完了する。
【先行技術文献】
【特許文献】
【０００９】
【特許文献１】特開２００５−１８８４５号公報
【特許文献２】特開平１１−１１０７７５号公報
【発明の概要】
【発明が解決しようとする課題】
【００１０】
ここで、図１２を参照しながら、上述した従来の構成における問題点について説明する。従来の構成においては、回折格子１０１の回転調整が行われる場合、図示しない調整治具（調整ピン）が調整溝１０２ａに差し込まれ、調整ピンが図１２の左右方向に動かされる。これにより、円形のホルダ１０２の中心Ｏが回転中心となってホルダ１０２が回転され、回折格子１０１の回転調整が行われる。
【００１１】
しかしながら、この構成の場合、調整ピンとホルダ１０２とが接触する接触部（溝部１０２ａ）と、回転中心Ｏと、の距離が短くなり易い。この場合、左右に移動される調整ピンの移動量に対する回折格子１０１の角度変化が大きくなり易く、調整精度が粗くなってしまうといった問題がある。
【００１２】
また、従来の構成では、調整ピンを用いて回転調整を行った後は、溝部１０２ａ近傍がベース１０３に接着固定される。この場合において、ホルダ１０２の外周とベース１０３の収容空間１０３ａ（図１０参照）の内面との接触箇所は一定とはならず、調整作業毎に異なった位置となるのが通常である。このために、回折格子１０１周辺で温度変化が生じた場合や衝撃が加えられた場合等に、収容空間１０３ａ内でホルダ１０２が動いて（前述の接触箇所が変わって）、光学素子が調整位置からずれてしまう可能性がある。
【００１３】
なお、特許文献１及び２には、上記した構成例とは異なる、回折格子の調整構造が開示されている。しかしながら、特許文献１の構成は、上述した従来例同様に、回折格子の光軸（回折格子の中心）周りの角度位置を調整する構成であり、調整精度が粗くなり易い。また、回折格子周辺で温度変化が生じた場合や衝撃が加えられた場合等に、ホルダが動いて光学素子が調整位置からずれてしまうといった事態が依然として起こり易い。
【００１４】
また、特許文献２の構成では、樹脂製のホルダに設けられる摩擦突起を利用してホルダが支持される構成であり、衝撃等によって位置ずれが起こることが懸念される。また、特許文献２の構成では、衝撃等による位置ずれを生じさせないために摩擦突起の寸法管理が重要となると考えられ、この点が製造時において負担となることが考えられる。
【００１５】
以上の点に鑑みて、本発明の目的は、回転調整が必要な光学素子に対して好適な、光学素子の調整構造を提供することである。詳細には、調整精度が良い光学素子の調整構造を提供することである。また、回転調整後に、温度変化や衝撃等によって位置ずれを生じにくい光学素子の調整構造を提供することである。また、本発明の他の目的は、そのような光学素子の調整構造が使用されることにより、信頼性の高い光ピックアップを提供することである。
【課題を解決するための手段】
【００１６】
上記目的を達成するために本発明の光学素子の調整構造は、回転調整される光学素子を含む回転側と、前記光学素子が取り付けられる非回転側と、を備える光学素子の調整構造であって、前記回転側には、先細りした先端部と、前記先端部と反対側の端部に設けられて調整治具が接触される接触部と、が含まれ、前記非回転側には、前記先端部と係合する凹部が含まれ、前記先端部を前記凹部に係合させるとともに前記接触部に調整治具を接触させ、前記調整治具を動かすことによって前記先端部を支点として前記回転側を回転させて、前記光学素子の回転調整を行うことを特徴としている。
【００１７】
本構成によれば、調整治具が接触する接触部と、回転側の回転の支点（先端部）とが離れた位置となるように構成できるために、調整治具の移動量に対する光学素子の角度変化を小さくでき、調整精度の向上が図れる。また、本構成によれば、回転側の回転の支点となる先端部が非回転側の凹部と係合される構成となっており、回転調整後に、温度変化や衝撃等によって光学素子の位置ずれが発生しにくい構成にできる。
【００１８】
上記構成の光学素子の調整構造において、前記先端部及び前記凹部が略Ｖ字形状であるのが好ましい。これにより、調整治具が接触する接触部と回転中心との距離を長くして調整精度の向上を図れるとともに、回転調整後に、温度変化や衝撃等によって光学素子の位置ずれが発生する可能性を低くできる。
【００１９】
上記構成の光学素子の調整構造において、前記回転側においては前記光学素子が光学素子ホルダに保持されており、前記光学素子ホルダを介して前記光学素子が前記非回転側に取り付けられ、前記光学素子ホルダを回転させて前記光学素子の回転調整が行われる、こととしてもよい。なお、前記回転側は、前記光学素子そのものからなる構成や、前記光学素子とホルダとが一体となったものでもよく、この場合には、これらが回転調整されることになる。
【００２０】
上記構成の光学素子の調整構造において、前記光学素子ホルダはバネ部を有し、前記非回転側には、前記光学素子の光軸方向に対向する２つの壁部が含まれ、前記バネ部によって前記光学素子ホルダが前記２つの壁部に押し付けられた状態で、前記光学素子の回転調整が行われるのが好ましい。そして、この構成においては、前記光学素子ホルダは板金を加工してなるのが好ましい。
【００２１】
板金加工によって光学素子ホルダを得る場合、バネ部を光学素子ホルダに一体的に設け易い。また、バネ部を利用して取り付け対象（非回転側；光ピックアップのベース等）に取り付けることができるために、光学素子ホルダの取り付け対象への取り付け作業を容易とできる。
【００２２】
また、上記目的を達成するために本発明の光ピックアップは、上記構成の光学素子の調整構造を備えることを特徴としている。本構成によれば、光学素子の回転調整を精度良く行え、更には、温度変化や衝撃等によって光学素子が位置ずれを起こす可能性を低くできるために、信頼性の高い光ピックアップを提供できる。
【００２３】
上記構成の光ピックアップにおいて、前記光学素子は回折格子であってもよい。光ピックアップに備えられる回折格子は回転調整が必要な場合が多く、本構成は、本発明の好適な構成例である。
【発明の効果】
【００２４】
本発明によれば、回転調整が必要な光学素子に対して好適な、光学素子の調整構造を提供できる。また、本発明によれば、そのような光学素子の調整構造が使用されることにより、信頼性の高い光ピックアップを提供できる。
【図面の簡単な説明】
【００２５】
【図１】本実施形態の光ピックアップの構成を示す概略平面図
【図２】本実施形態の光ピックアップの光学構成を示す概略平面図
【図３】本実施形態の光ピックアップが備える回折格子ホルダの構成を示す概略斜視図
【図４】本実施形態の光ピックアップが備える回折格子ホルダの構成を示す正面図で、回折格子が取り付けられた状態を示す図
【図５】本実施形態の光ピックアップが備える回折格子ホルダの構成を示す概略側面図
【図６】本実施形態の光ピックアップが備える回折格子ホルダの構成を示す展開図
【図７】本実施形態の光ピックアップにおける、回折格子ホルダが取り付けられる取付部の構成を示す概略斜視図
【図８】図７に示す取付部に回折格子ホルダが収容された状態を示す概略斜視図
【図９】本実施形態の光ピックアップにおける、回折格子ホルダと取付部の溝部との関係を示した模式図
【図１０】従来の光ピックアップにおいて、回折格子をベースに取り付ける前の状態を示す概略斜視図
【図１１】従来の光ピックアップにおいて、回折格子をベースに取り付けた状態を示す概略斜視図
【図１２】従来の光ピックアップの問題点について説明するための模式図
【発明を実施するための形態】
【００２６】
以下、本発明の光学素子の調整構造、及び、光ピックアップの実施形態について、図面を参照しながら説明する。なお、以下においては、本発明の光学素子の調整構造が、回折格子の調整構造であり、この回折格子の調整構造が光ピックアップに適用される場合を例に説明する。
【００２７】
図１は、本実施形態の光ピックアップの構成を示す概略平面図で、図１（ａ）は光ピックアップの上面図、図１（ｂ）は光ピックアップの側面図である。なお、図１（ｂ）は、図１（ａ）に示す矢印Ａに沿って見た図である。また、図１（ｂ）には、理解を容易とするために、光ディスクＤが併せて示されている。
【００２８】
図１に示すように、本実施形態の光ピックアップ１は、回折格子を含む複数の光学部材が搭載されるピックアップベース１０と、ピックアップベース１０上に固定配置される対物レンズアクチュエータ２０と、を備える構成となっている。
【００２９】
ピックアップベース１０の左右の端部には軸受け部１０ａ、１０ｂが設けられている。ピックアップベース１０は、この軸受け部１０ａ、１０ｂによって、光ディスク装置（光ディスクＤの再生や記録を行うための装置）に設けられるガイドシャフトＧＳ（図１（ａ）に破線で示す）に摺動可能に支持されることになる。光ディスク装置に設けられるガイドシャフトＧＳは、光ディスクの半径方向（ラジアル方向；Ｒａｄ方向）に延びるように配置される。ガイドシャフトＧＳに対して摺動可能とされる光ピックアップ１は、回転する光ディスクＤの所望のアドレスにアクセスして情報の読み取りや書き込みを行うことができる。
【００３０】
対物レンズアクチュエータ２０は、光ピックアップ１の光学系に備えられる対物レンズ１７をフォーカス方向（光ディスクＤの情報記録面ＲＳに垂直な方向）及びトラッキング方向（Ｒａｄ方向と同じ方向）に移動可能とする装置である。光ピックアップ１においては、情報の読み取りや書き込みを行う際に、対物レンズ１７の焦点位置が常に光ディスクＤの情報記録面ＲＳに合うようにフォーカシング制御を行う必要がある。また、光ピックアップ１においては、情報の読み取りや書き込みを行う際に、対物レンズ１７によって光ディスクＤの情報記録面ＲＳに集光される光スポットの位置が、光ディスクＤのトラックに常に追随するようにトラッキング制御を行う必要がある。対物レンズアクチュエータ２０は、これらのフォーカシング制御及びトラッキング制御を行う際に駆動される。
【００３１】
なお、対物レンズアクチュエータ２０は、対物レンズ１７を保持するレンズホルダ２０ａを有し、レンズホルダ２０ａをワイヤ２０ｂで揺動可能に支持する構成のものである。そして、対物レンズアクチュエータ２０は、コイル及び磁石を利用して発生させた力でレンズホルダ２０ａとともに対物レンズ１７を動かすものである。このようなタイプの対物レンズアクチュエータは公知であるので、ここでは、詳細な説明は省略する。
【００３２】
図２は、本実施形態の光ピックアップの光学構成を示す概略平面図である。半導体レーザ１１は、光ピックアップ１が対応する（情報の読み取りや書き込みを行う）光ディスクＤの種類によって、その種類が決まる。例えば、光ピックアップ１がＢＤ対応であれば、半導体レーザ１１としては、波長４０５ｎｍ帯のレーザ光を出射するものが使用される。
【００３３】
半導体レーザ１１から出射されたレーザ光は、回折格子１２に送られる。回折格子１２は、入射したレーザ光を主光と２つの副光とに分ける。このため、半導体レーザ１１から出射されたレーザ光は３つの光に分けられて光ディスクＤに至ることになる。本実施形態では、ＤＰＰ法によるトラッキングエラー信号が得られるように、光ピックアップ１の光学系中に回折格子１２が配置されている。なお、ＤＰＰ法によってトラッキングエラー信号を得る方法は公知であるために、その説明は省略する。
【００３４】
回折格子１２から出射されたレーザ光は、偏光ビームスプリッタ１３に送られる。偏光ビームスプリッタ１３は、半導体レーザ１１から出射されたＳ偏光（直線偏光の一例であり、これに限定される趣旨ではない）を反射する。偏光ビームスプリッタ１３で反射されたレーザ光は、１／４波長板１４で円偏光に変換される。１／４波長板１４から出射されるレーザ光は、コリメートレンズ１５を透過後、立ち上げミラー１６で反射される。立ち上げミラー１６で反射されたレーザ光は、立ち上げミラー１６の上方にある対物レンズ１７へと至る。対物レンズ１７は、入射したレーザ光を光ディスクＤの情報記録面ＲＳに集光する機能を有する。
【００３５】
対物レンズ１７によって情報記録面ＲＳに集光された後、情報記録面ＲＳで反射された反射光（戻り光）は、対物レンズ１７を通過後、立ち上げミラー１６で反射される。そして、戻り光は、コリメートレンズ１５を通過し、１／４波長板１４でＰ偏光に変換されて偏光ビームスプリッタ１３を透過する。偏光ビームスプリッタ１３を通過した戻り光は、シリンドリカル面を含むセンサーレンズ１８を通過後、光検出器１９へと集光される。
【００３６】
センサーレンズ１８にシリンドリカル面を設けて非点収差が与えられるように構成しているのは、非点収差法を用いてフォーカスエラー信号を生成できるようにするためである。また、光検出器１９は、受光した光信号を電気信号に変換する光電変換手段として機能する。光検出器１９から出力された電気信号は、図示しない信号処理部に送られ、信号処理部において、再生信号、フォーカスエラー信号、トラッキングエラー信号等に変換される。フォーカスエラー信号は上述のフォーカシング制御を行うために使用され、トラッキングエラー信号は上述のトラッキング制御を行うために使用される。
【００３７】
なお、半導体レーザ１１、回折格子１２、偏光ビームスプリッタ１３、１／４波長板１４、コリメートレンズ１５、立ち上げミラー１６、センサーレンズ１８、及び、光検出器１９は、ピックアップベース１０上に搭載される。また、対物レンズ１７は、対物レンズアクチュエータ２０のレンズホルダ２０ａに搭載されて、ピックアップベース１０の上に配置される。
【００３８】
また、コリメートレンズ１５は、光軸方向Ｍ（図２の左右方向）に移動可能となっており、その位置はレイヤージャンプ等に応じて適宜移動される。これにより、光ピックアップ１においては、球面収差の影響が適切に抑制される。
【００３９】
ピックアップベース１０に搭載される回折格子１２は、ピックアップベース１０に固定される前に回転調整され、光ディスクＤＳに形成される光スポットの位置が所望の位置になった状態でピックアップベース１０に固定される。本実施形態の光ピックアップ１は、この回折格子１２の調整構造に特徴を有する。以下、この特徴点（特徴的な構成）について説明する。
【００４０】
なお、回折格子１２は、本発明の回転調整される光学素子の一例である。また、ピックアップベース１０は、本発明の「光学素子（本実施形態では回折格子１２）が取り付けられる非回転側」の一例である。また、本実施形態では、回折格子１２は、ホルダ（回折格子ホルダ；本発明の光学素子ホルダの一例）に保持された状態でピックアップベース１０に搭載される。そして、回折格子１２を保持した回折格子ホルダ（詳細は後述する）が、本発明の「回転調整される光学素子を含む回転側」の一例となる。
【００４１】
図３は、本実施形態の光ピックアップが備える回折格子ホルダの構成を示す概略斜視図である。図４は、本実施形態の光ピックアップが備える回折格子ホルダの構成を示す正面図で、回折格子が取り付けられた状態を示す図である。図５は、本実施形態の光ピックアップが備える回折格子ホルダの構成を示す概略側面図である。
【００４２】
光ピックアップ１が備える回折格子ホルダ３０は板金を加工してなる。図３に示すように、回折格子ホルダ３０は、回折格子１２が搭載される搭載面３１と、板金の折り返しによって得られ、搭載面３１に搭載された回折格子１２の位置決めに使用される位置決め壁３２と、位置決め壁３２を得るための折り返しとは異なる折り返しによって得られるバネ部３３と、を備える。
【００４３】
図４に示すように、搭載面３１に搭載される回折格子１２は、平面視略平行四辺形状の四角柱となっている。回折格子１２は、例えばガラスで形成され、略平行四辺形をなす２つの面の一方側に回折パターンが形成されている。回折格子１２は、４つの側面のうち、隣り合う２つの側面が位置決め壁３２に当接された状態で、回折格子ホルダ３０に位置決め保持される。
【００４４】
回折格子ホルダ３０には、図３及び図４に示すように、搭載面３１に搭載された回折格子１２の角を保護する等の目的で、平面視略半円状の空間である逃げ部３４が２つ形成されている。搭載面３１に搭載された回折格子１２の固定は、例えば接着剤等を用いて行われる。回折格子１２を接着固定する際の接着箇所は特に限定されるものではないが、例えば、回折格子１２の対向する２つの角部１２ａ、１２ｂ近傍が接着箇所として使用される。
【００４５】
なお、回折格子ホルダ３０には、搭載面３１に搭載された回折格子１２への光の入射と、回折格子１２からの光の出射とが可能となるように、貫通孔３５、３６が設けられている（図３参照）。
【００４６】
また、図５に示される（図３及び図４にも示される）ように、回折格子ホルダ３０には、バネ部３３が必要以上に曲げられて塑性変形を起こさないように、塑性変形防止リブ３７が形成されている。この塑性変形防止リブ３７がないと、例えば、回折格子ホルダ３０をピックアップベース１０に取り付ける際や、ピックアップベース１０に取り付けられた回折格子ホルダ３０が取り外される際（リワーク時）などに、バネ部３３に大きな力が加わり、バネ部３３が塑性変形を起こすことがある。
【００４７】
この点、本実施形態の回折格子ホルダ３０のように、バネ部３３に向かって突出する塑性変形防止リブ３７が設けられていると、バネ部３３が一定範囲を超えて曲がるのを防止できるために、バネ部３３の塑性変形を防止できる。なお、塑性変形防止リブ３７が設けられる位置や、塑性変形防止リブ３７の数は、本実施形態の構成に限らず、適宜変更して構わない。
【００４８】
また、回折格子ホルダ３０には、回折格子１２の回転調整を行う際に、先端が回転中心として使用される略Ｖ字状の凸部４０と、凸部４０と対向する一端部に設けられ、調整治具（回転調整用の治具）と係合する略Ｖ字状の治具用係合部（切り欠き）４１と、が設けられる（図３及び図４参照）。回折格子ホルダ３０の略Ｖ字状の凸部４０は、本発明の「回転側に含まれる先細りした先端部」の一例である。また、回折格子ホルダ３０の治具用係合部４１は、本発明の「回転側に含まれる、先端部と反対側の端部に設けられて調整治具が接触される接触部」の一例である。
【００４９】
また、回折格子ホルダ３０には、回折格子１２の回転調整が行われる際に、その（回折格子ホルダ３０）の回転量を規制するストッパー部３８と、回折格子ホルダ３０をピンセット等で掴みやすくする等の目的でバネ部３３に形成される持ち手部３９と、が設けられる（図３から図５参照）。
【００５０】
図６は、本実施形態の光ピックアップが備える回折格子ホルダの構成を示す展開図である。図６において、破線は山折りを行う箇所を示し、一点鎖線は谷折りを行う箇所を示す。図６に示すように、回折格子ホルダ３０を構成する板金は、第１の部分Ｐ１と、第２の部分Ｐ２と、第３の部分Ｐ３と、を有する。
【００５１】
第１の部分Ｐ１は平面視略五角形状に形成され、この第１の部分Ｐ１に回折格子１２が搭載される。すなわち、第１の部分Ｐ１は、回折格子１２を搭載する搭載面３１を有する。この第１の部分Ｐ１には、上述した、平面視略円形状の貫通孔３５と、ストッパー部３８と、略Ｖ字状の凸部４０と、治具用係合部４１と、が形成される。なお、貫通孔３５と治具用係合部４１とは、板金の一部を切り欠くことによって得られる。
【００５２】
第１の部分Ｐ１に繋がる第２の部分Ｐ２（外形は略長方形状である）は、谷折りされて（第１の部分Ｐ１に対して紙面手前側に折り返されて）第１の部分Ｐ１に接触した状態で重ねられる。第２の部分Ｐ２は、主に外周側を除いて多くの部分が切り欠かれている。そして、これにより、第２の部分Ｐ２を折り返して第１の部分Ｐ１に重ねることによって、板厚分の位置決め壁（段差）３２（図３等参照）が形成されるとともに、第２の部分Ｐ２を折り返しているにもかかわらず、第１の部分Ｐ１に回折格子１２が搭載されるようになっている。
【００５３】
また、第２の部分Ｐ２には、上述の逃げ部３４（図３等参照）を形成するための切り欠きも設けられている。また、第２の部分Ｐ２には、山折りする（紙面奥側に向けて折る）ことによって、上述の塑性変形防止リブ３７となる部分が形成されている。
【００５４】
第２の部分Ｐ２に繋がる第３の部分Ｐ３（外形は略長方形状である）は、山折りされて（谷折りされた第２の部分Ｐ２に対して紙面手前側に折り返されて）バネ部３３を形成する。第３の部分Ｐ３は主に外周側を除いてほとんどの部分が切り欠かれており、第３の部分Ｐ３の折り返しにより、上述の貫通孔３６が得られる。なお、この切り欠きの大きさは、光の通路を確保するためだけではなく、バネ部３３の弾性力を調整する要素としても重要であり、この点も考慮して、切り欠きの大きさは決められている。
【００５５】
また、詳細には、第３の部分Ｐ３は、前述の折り返し位置から離れた位置で弾性力の調整等を目的として若干曲げられている。また、第３の部分Ｐ３には、谷折りする（紙面手前側に向けて折る）ことによって、上述の持ち手部３９となる部分が形成されている。
【００５６】
次に、ピックアップベース１０の、回折格子ホルダ３０が取り付けられる取付部５０の構成について、図７及び図８を参照しながら説明する。図７は、本実施形態の光ピックアップにおける、回折格子ホルダが取り付けられる取付部の構成を示す概略斜視図である。図７には、破線矢印方向に向けて収容される回折格子ホルダ３０（回折格子１２を保持する）も併せて示している。図８は、図７に示す取付部に回折格子ホルダが収容された状態を示す概略斜視図である。
【００５７】
取付部５０には、回折格子ホルダ３０の搭載面３１の裏面（第１の部分Ｐ１の回折格子１２が搭載される面の裏面）に当接する第１の壁部５１と、回折格子ホルダ３０のバネ部３３（第３の部分Ｐ３）に当接する第２の壁部５２と、が形成されている。第１の壁部５１には、半導体レーザ１１（図７及び図８には図示せず；図２参照）から光が通過できるように光路孔５１ａが形成されている。第２の壁部５２には、回折格子１２から出射する光が偏光ビームスプリッタ１３（図７及び図８には図示せず；図２参照）に至るように、平面視略Ｕ字状の切り欠き５２ａが形成されている。第１の壁部５１と第２の壁部５２とは、取付部５０に回折格子ホルダ３０が収容された状態で、回折格子１２の光軸方向に対向するように配置されている。
【００５８】
また、第１の壁部５１の上部には、接着剤を充填する接着剤充填部５３が設けられている。また、取付部５０の底面には、第１の壁部５１と第２の壁部５２とを結ぶ方向へと延びる断面視略Ｖ字状の溝部５４が形成されている。なお、溝部５４が延びる方向は、回折格子１２を通過する光の進行方向（回折格子１２の光軸方向）と略平行な方向である。この溝部５４は、本発明の「非回転体側に含まれて、先端部（略Ｖ字状の凸部４０）と係合する凹部」の一例である。
【００５９】
取付部５０に回折格子ホルダ３０を取り付ける際には、バネ部３３を弾性変形させて回折格子ホルダ３０の厚みを小さくする。なお、この際、バネ部３３は塑性変形防止リブ３７の存在により、厚みを小さくする方向に所定の量以上曲げられることがないので、取り付け時に回折格子ホルダ３０が塑性変形する可能性は低い。
【００６０】
厚みを小さくされた回折格子ホルダ３０は、図７の破線矢印方向に降ろされて取付部５０内に収容される。この際、回折格子ホルダ３０の略Ｖ字状の凸部４０の先端が、溝部５４の最深部（Ｖ字の先端）に係合するように、回折格子ホルダ３０は取付部５０に収容される。取付部５０に収容後は、回折格子ホルダ３０は、バネ部３３の弾性力によって第１の壁部５１及び第２の壁部５２の押し付けられた状態となる。
【００６１】
なお、上述のように、回折格子１２は、光ディスクＤの情報記録面ＲＳ上に形成される３つの光スポットの位置が狙いの位置となるように、回転調整される必要がある。このために、バネ部３３は、回折格子ホルダ３０が取付部５０から容易に外れることがないという条件とともに、回折格子ホルダ３０の回転による回折格子１２の回転調整ができるという条件を満たすように、その弾性力が調整されている。
【００６２】
この回転調整は、光ピックアップ１の組み立て作業の最終段階に行われる。具体的には、ピックアップベース１０に光学部品１２〜１８、半導体レーザ１１、光検出器１９を取り付けて、主光を用いて光検出器１９の位置調整を行った後に、副光が狙いの位置となるように回折格子ホルダ３０を回転して回折格子１２の回転調整が行われる。
【００６３】
ここで、本実施形態の回折格子１２（光学素子）の調整構造を用いた回転調整と、その効果と、について図９を参照して説明する。なお、図９は、本実施形態の光ピックアップにおける、回折格子ホルダ（回転側の一例）と取付部の溝部（非回転側の凹部）との関係を示した模式図である。
【００６４】
図９に示すように、回折格子１２の回転調整を行う際には、調整治具（調整ピン）６０を回折格子ホルダ３０の治具用係合部４１に係合（接触）させる。そして、光スポットの位置が所定の位置となるように、調整治具６０を用いて、回折格子ホルダ３０を、Ｖ字状の凸部４０の先端が支点となるようにして回転させる（図９の左右方向に調整ピン６０を動かす）。なお、本実施形態では、この支点が回転中心になる。
【００６５】
回折格子ホルダ３０がＶ字状の凸部４０の先端を支点として回転できるように、取付部５０の溝部５４のＶ字形状は、回折格子ホルダ４０の凸部４０の傾斜よりもなだらかとなっている。また、回折格子ホルダ３０の側面部に設けられるストッパー部３８の存在により、回折格子ホルダ３０は必要以上に回転されることがない。
【００６６】
回折格子ホルダ３０は、回折格子１２の回転調整が終了すると、調整された位置から動かないようにピックアップベース１０に固着される。例えば、回転調整を行う段階で紫外線硬化型の接着剤（ＵＶ接着剤）５５（図８参照）を接着剤充填部５３に入れておき、回転調整が済んだ段階で紫外線を照射して固着するといった方法で、回折格子ホルダ３０のピックアップベース１０への固着が行われる。
【００６７】
なお、回折格子ホルダ３０に設けられる持ち手部３９は、回折格子ホルダ３０が取付部５０に収容された状態で第２の壁部５２に形成される平面視略Ｕ字状の切り欠き５２ａ内へと突出している（図８参照）。このため、この持ち手部３９を回折格子ホルダ３０の回転量を規制するストッパーとして機能させることができる。すなわち、場合によっては、ストッパー部３８に代えて持ち手部３９をストッパー部としてもよい。
【００６８】
本実施形態の回折格子１２の調整構造では、調整ピン６０が回折格子ホルダ３０に接触する接触部（治具用係合部４１）と、回転中心（Ｖ字状の凸部４０の先端）との距離が長くなる（この比較対象として、例えば図１２に示す従来の構成が挙げられる）。このために、本実施形態の回折格子１２の調整構造によれば、調整ピン６０の左右への移動量に対する回折格子１２の角度変化を小さくでき、調整ピン６０を用いた回転調整の調整精度の向上を図れる。
【００６９】
また、本実施形態の回折格子１２の調整構造では、回折格子ホルダ３０がピックアップベース１０（取付部５０）に接着固定された後においては、回折格子ホルダ３０は、接着箇所（治具用係合部４１近傍）とＶ字状の凸部４０の先端とがピックアップベース１０に対して固定された状態となる。そして、Ｖ字状の凸部４０の先端は、Ｖ字状の溝部５４の最深部と接触した状態となっている。このために、回折格子１２周辺で温度変化が生じた場合や、光ピックアップ１に衝撃が加えられた場合等においても、回折格子ホルダ３０が位置ずれを起こす可能性が低い。
【００７０】
すなわち、本実施形態の回折格子１２の調整構造を採用した光ピックアップ１は、非常に信頼性の高いものとなる。その他、本実施形態においては、回折格子ホルダ３０が板金を用いて構成されている。このために、回折格子ホルダを樹脂で形成する場合のように、別途スプリングを容易する必要がなく、低コスト化を図り易い。また、板金の折り返しによってできる板厚分の段差を位置決め壁３２として利用する構成となっている。このために、回折格子１２を回折格子ホルダ３０に搭載する作業が容易である。また、本実施形態の回折格子ホルダ３０は板金の加工で容易に得られ、更に、それが取り付けられる取付部５０の構成も簡単な構成とできる。
【００７１】
以上に示した実施形態は本発明の一例であり、本発明の光学素子の調整構造及び光ピックアップは以上に示した構成に限定されるものではない。
【００７２】
例えば、以上に示した実施形態では、回転側（回折格子ホルダ３０）の先細りした先端部がＶ字状の凸部４０である構成とした。しかし、本発明は、この構成に限定される趣旨ではなく、例えば、先細りした先端部の先端が尖っておらず、丸みを帯びている構成等であっても構わない。ただし、丸みを帯びた部分があまり大きくなりすぎると、調整ピン６０が接触する接触部（治具用係合部４１）と回転中心との距離が短くなるので、先細りした先端部の先端はなるべく尖がっているのが好ましい。また、非回転側（ピックアップベース１０）の凹部（溝部５４）の形状もＶ字状に限定される趣旨ではなく、場合によっては丸みを帯びたもの等であっても構わない。
【００７３】
また、以上に示した実施形態では、回転調整される回折格子１２を含む回転側が、回折格子１２を保持する回折格子ホルダ３０である構成とした。しかし、本発明の適用範囲は、この構成に限定されるものではない。すなわち、回転調整される回折格子そのものが本発明の回転側を構成するものであったり、回転調整される回折格子がホルダと一体的に設けられたものが本発明の回転側を構成するものであったりしてもよい。この場合には、回折格子やホルダと一体型の回折格子は、スプリングでピックアップベース１０に仮固定された状態で、回転調整されるようにしてもよい。
【００７４】
また、以上に示した実施形態では、回折格子ホルダ３０に形成される治具用係合部４１が略Ｖ字状とされたが、治具用係合部４１の形状は、調整治具の形状に合わせて適宜変更可能である。
【００７５】
また、以上に示した実施形態では、回折格子ホルダ３０が、塑性変形防止リブ３７、ストッパー部３８、及び、持ち手部３９を有する構成とした。しかしながら、これらのうちの少なくとも１つが無い構成も本発明に含まれる。
【００７６】
また、以上に示した実施形態では、本発明の光学素子の調整構造が、回折格子の調整構造であることとした。しかし、本発明の光学素子の調整構造は、回折格子以外の、回転調整が必要な光学素子の調整構造として広く適用できるものである。また、本発明の光学素子の調整構造が適用される対象は、光ピックアップに限定されず、他の光学装置であってもよいのは当然である。更に、本発明の光学素子の調整構造が適用される光ピックアップは、本実施形態の構成とは異なり、複数種類の光ディスクに対応するものであってもよい。
【産業上の利用可能性】
【００７７】
本発明の光学素子の調整構造は、回転調整が必要な光学素子に対して好適であり、例えば、光ピックアップに備えられる回折格子の調整構造として好適である。
【符号の説明】
【００７８】
１  光ピックアップ
１０  ピックアップベース（非回転側）
１２  回折格子（光学素子）
３０  回折格子ホルダ（回転側、光学素子ホルダ）
３３  バネ部
４０  凸部（先細りした先端部）
４１  治具用係合部（接触部）
５１  第１の壁部
５２  第２の壁部
５４  溝部（凹部）
６０  調整ピン（調整治具）    
【図１】
0005310753.tif 000002
【図２】
0005310753.tif 000003
【図３】
0005310753.tif 000004
【図４】
0005310753.tif 000005
【図５】
0005310753.tif 000006
【図６】
0005310753.tif 000007
【図７】
0005310753.tif 000008
【図８】
0005310753.tif 000009
【図９】
0005310753.tif 000010
【図１０】
0005310753.tif 000011
【図１１】
0005310753.tif 000012
【図１２】
0005310753.tif 000013